(57)【要約】【課題】棒状体を支持すると共にアーム部材を横方向に回転可能にする棒状体の支持具を提供する。【解決手段】取付対象部に配置される固定部材４と、該固定部材４に対して回転可能に配置されると共に横方向の棒状体２を支持するアーム部材５とを備え、前記固定部材４は、前記取付対象部に固定される固定部本体６と、該固定部本体６から立設する支持部７とを備え、  前記アーム部材５は、前記支持部７に対して横方向へ回転可能に配置される基部１０と、該基部１０から延在すると共に前記棒状体２を通す孔１１ｄを配して横方向の回転時に前記棒状体２をスライドさせつつ支持する延在部１１とを備える。【選択図】図３
2018051158.tif 000002
【特許請求の範囲】
【請求項１】
取付対象部に配置される固定部材と、該固定部材に対して回転可能に配置されると共に横方向の棒状体を支持するアーム部材とを備え、
前記固定部材は、前記取付対象部に固定される固定部本体と、該固定部本体から立設する支持部とを備え、
前記アーム部材は、前記支持部に対して横方向へ回転可能に配置される基部と、該基部から延在すると共に前記棒状体を通す孔を配して横方向の回転時に前記棒状体をスライドさせつつ支持する延在部とを備えたことを特徴とする棒状体の支持具。
【請求項２】
前記アーム部材は、前記延在部に、棒状体を通す孔を複数備えたことを特徴とする請求項１に記載の棒状体の支持具。
【請求項３】
前記アーム部材は、前記延在部の一部を回転して孔の角度を変更するよう前記延在部に回転軸を備えたことを特徴とする請求項１又は２に記載の棒状体の支持具。
【請求項４】
前記アーム部材は、前記棒状体を載置又は挟み込んで支持する補助支持部を備えたことを特徴とする請求項１〜３のいずれか１つに記載の棒状体の支持具。
【請求項５】
前記固定部材とアーム部材を接触させた際に生じる摩擦、前記固定部材または前記アーム部材に形成された突起による係止、前記固定部材と前記アーム部材の間に配置された弾性体による押圧、の少なくとも１つでアーム部材を固定するロック機構を備えたことを特徴とする請求項１〜４のいずれか１つに記載の棒状体の支持具。
【請求項６】
前記固定部材と前記取付対象部の間に、前記固定部材及び前記アーム部材を斜め方向へ傾けて配置する介在部材を備えたことを特徴とする請求項１〜５のいずれか１つに記載の棒状体の支持具。
【請求項７】
前記アーム部材が取付対象部から突き出す位置になるようアーム部材を横方向へ回転させた際には、前記アーム部材の孔を介して棒状体を支持すると共に前記棒状体を取付対象部から離間させ、
前記アーム部材を取付対象部に沿う位置になるようアーム部材を横方向へ回転させた際には、前記アーム部材の孔を介して棒状体を支持すると共に前記棒状体を取付対象部に近接させるように構成されたことを特徴とする請求項１〜６のいずれか１つに記載の棒状体の支持具。
【発明の詳細な説明】
【技術分野】
【０００１】
本発明は、棒状体を移動可能に支持する棒状体の支持具に関するものである。
【背景技術】
【０００２】
一般に竿等の棒状体を支持する支持具は、ベランダ等の壁面に固定される固定部材と、固定部材に対して上下方向へ回転可能に配置されるアーム部材とを備えており、アーム部材は先端側に孔を備えて竿等の棒状体を通し得るようにしている。
【０００３】
支持具を壁面に設置する際には、２つの支持具を壁面の左右に配置し、アーム部材の孔を介して竿等の棒状体を配置する。そして支持具を使用する場合には、アーム部材を鉛直方向上向きから水平方向まで下方に回転させて竿等の棒状体を壁面から離間させ、洗濯物等を干すことができる状態にする。一方で支持具を使用しない場合には、アーム部材を水平方向から鉛直方向上向きまで上方に回転させて竿等の棒状体を壁面に沿う位置に配し、ベランダのスペースを広げるようにしている。
【０００４】
なお、本発明に関連する先行技術文献情報としては、例えば、下記の特許文献１等が既に存在している。
【先行技術文献】
【特許文献】
【０００５】
【特許文献１】特開２００１−２５６００号公報
【発明の概要】
【発明が解決しようとする課題】
【０００６】
しかしながら、アーム部材を上下に回転させる場合には、アーム部材を上方へ持ち上げる動作が必要になるため、背の低い人やお年寄りに負担となっていた。またアーム部材を上方向に回転させて竿を壁面に沿う位置に配する場合には、上方向の空間にアーム部材及び竿を配置するスペースが必要になるという問題があった。更にアーム部材が鉛直方向上向きの位置にある場合には、アーム部材が自重で回転しないように確実に保持する必要があり、ロック構造が複雑になるという問題があった。更にまた竿を上げ下げする際には、上下に回転できる支持具を左右一対に配置することが必須となるため、支持具の種類や配置条件が制限されるという問題があった。
【０００７】
本発明は、斯かる実情に鑑み、棒状体を支持すると共にアーム部材を横方向に回転可能にする棒状体の支持具を提供しようとするものである。
【課題を解決するための手段】
【０００８】
本発明の棒状体の支持具は、取付対象部に配置される固定部材と、該固定部材に対して回転可能に配置されると共に横方向の棒状体を支持するアーム部材とを備え、
前記固定部材は、前記取付対象部に固定される固定部本体と、該固定部本体から立設する支持部とを備え、
前記アーム部材は、前記支持部に対して横方向へ回転可能に配置される基部と、該基部から延在すると共に前記棒状体を通す孔を配して横方向の回転時に前記棒状体をスライドさせつつ支持する延在部とを備えたものである。
【０００９】
また、本発明の棒状体の支持具において、前記アーム部材は、前記延在部に、棒状体を通す孔を複数備えることができる。
【００１０】
また、本発明の棒状体の支持具において、前記アーム部材は、前記延在部の一部を回転して孔の角度を変更するよう前記延在部に回転軸を備えることができる。
【００１１】
また、本発明の棒状体の支持具において、前記アーム部材は、前記棒状体を載置又は挟み込んで支持する補助支持部を備えることができる。
【００１２】
また、本発明の棒状体の支持具において、前記固定部材とアーム部材を接触させた際に生じる摩擦、前記固定部材または前記アーム部材に形成された突起による係止、前記固定部材と前記アーム部材の間に配置された弾性体による押圧、の少なくとも１つでアーム部材を固定するロック機構を備えることができる。
【００１３】
また、本発明の棒状体の支持具において、前記固定部材と前記取付対象部の間に、前記固定部材及び前記アーム部材を斜め方向へ傾けて配置する介在部材を備えることができる。
【００１４】
また、本発明の棒状体の支持具において、前記アーム部材が取付対象部から突き出す位置になるようアーム部材を横方向へ回転させた際には、前記アーム部材の孔を介して棒状体を支持すると共に前記棒状体を取付対象部から離間させ、
前記アーム部材を取付対象部に沿う位置になるようアーム部材を横方向へ回転させた際には、前記アーム部材の孔を介して棒状体を支持すると共に前記棒状体を取付対象部に近接させるように構成されることができる。
【発明の効果】
【００１５】
本発明の棒状体の支持具によれば、棒状体を支持すると共にアーム部材を横方向に回転可能にすることができるという優れた効果を奏し得る。
【図面の簡単な説明】
【００１６】
【図１】本発明の棒状体の支持具を示す全体図である。
【図２】本発明の棒状体の支持具を取付対象部に設置した状態の一例を示す概念図である。
【図３】本発明の棒状体の支持具においてアーム部材を取付対象部に沿う位置に配した状態を示す概念図である。
【図４】本発明の棒状体の支持具においてアーム部材を取付対象部から突き出す位置に配した状態を示す概念図である。
【図５】本発明の棒状体の支持具の他例を示す全体図である。
【図６】本発明の棒状体の支持具の別例を示す全体図である。
【図７】本発明の棒状体の支持具における孔の他例を示す拡大図である。
【図８】本発明の棒状体の支持具における孔の別例を示す拡大図である。
【図９】本発明の棒状体の支持具における延在部の他例を示す拡大図である。
【図１０】本発明の棒状体の支持具における補助支持部の一例を示す側面図である。
【図１１】本発明の棒状体の支持具における補助支持部の他例を示す側面図である。
【図１２】本発明の棒状体の支持具におけるロック機構の一例を示す側面図である。
【図１３】本発明の棒状体の支持具においてロック機構の一例を解除した状態を示す側面図である。
【図１４】本発明の棒状体の支持具におけるロック機構の他例を示す側面図である。
【図１５】本発明の棒状体の支持具においてロック機構の他例を解除した状態を示す側面図である。
【図１６】本発明の棒状体の支持具におけるロック機構の別例を示す側面図である。
【図１７】本発明の棒状体の支持具を取付対象部に設置した状態の他例を示す概念図である。
【図１８】本発明の棒状体の支持具と組み合わせて適用する固定タイプの支持具の他例を示す概念図である。
【発明を実施するための形態】
【００１７】
以下、本発明の実施の形態例を図１〜図１８を参照して説明する。
【００１８】
実施の形態例である棒状体の支持具は、図１〜図４に示すごとく、ベランダや室内外の取付対象部１（図２参照）に設置されており、取付対象部１は、モルタル、コンクリート、木等の種々の壁面や、柱、ポール等の種々の柱状体となっており、図２はベランダの腰壁に取り付けた状態を示している。また棒状体２（図３、図４参照）は、竿、ロッド等の横方向に延在するもので構成されている。ここで取付対象部１は、壁面や柱状体に限定されるものでなく、他の構造物でも良い。また棒状体２は、横方向に延在するものならば他のものでも良い。
【００１９】
支持具３は、壁面（取付対象部１）に配置される固定部材４と、固定部材４に対して回転可能に配置されると共に横方向の棒状体２を支持するアーム部材５とを備えている。
【００２０】
固定部材４は、壁面に固定される固定部本体６と、固定部本体６から立設する支持部７とを備えている。固定部本体６は、壁面に対応する平板で構成されており、固定部本体６の上下には固定用の孔８が形成されている。支持部７は、固定部本体６の表面中央に位置する台座部７ａと、台座部７ａの上側から垂直方向に立設し且つ水平に形成される上側突状板７ｂと、台座部７ａの下側から垂直方向に立設し且つ上側突状板７ｂと平行になるように水平に形成される下側突状板７ｃとからなり、上側突状板７ｂ及び下側突状板７ｃには上下方向に貫通する軸孔７ｄを形成している。ここで固定部本体６を壁面に固定する際にはボルトやねじ等の締結手段Ｓ（図３、図４参照）を使用しており、固定部本体６を柵、ポール等の柱状体に固定する際には、柱状体を挟み込む固定金具等の締結手段（図示せず）を使用している。
【００２１】
アーム部材５は、固定部材４の支持部７に軸９（図３参照）を介して横方向へ回転可能に支持される基部１０と、基部１０から延在する延在部１１とを備えている。基部１０は、複数の側面（図１では４つの側面）を備える立方体の柱で構成されており、基部１０の上面と底面には軸孔７ｄに挿入する軸９を備えている。また基部１０の一方の側面には延在部１１を配し、一方の側面に対してほぼ９０°の角度で隣接する基部１０の他方の側面には、補助支持部１２を形成している。延在部１１は、基部１０の一方の面から外方へ延びる直線部１１ａを備え、直線部１１ａの端側には１０°以上９０°以下、好ましくは３０°以上６０°以下の範囲で屈曲して延在する先端部１１ｂを配している。また延在部１１の直線部１１ａには、成型を容易にするように長手方向に沿う長孔１１ｃを有し、先端部１１ｂには棒状体２の径より大きな楕円の孔１１ｄを有している。
【００２２】
ここで、アーム部材５の延在部１１は、図５に示すごとく直線部１１ａの代わりに湾曲する湾曲部１１ａ'を備え、先端部１１ｂが湾曲部１１ａ'から滑らかに連なるようにしても良い。またアーム部材５の延在部１１は、図６に示すごとくほぼ直角となるように屈曲しても良い。更にアーム部材５は、図７に示すごとく楕円の孔１１ｄのみにしても良い。更にまたアーム部材５は、図８に示すごとく延在部１１に楕円の孔１１ｄを備えると共に、孔１１ｄの隣接位置に楕円の他の孔１１ｅを備え、２本の棒状体２を支持するようにしても良いし、他の孔１１ｅを複数備え、複数の棒状体２を支持するようにしても良い。更にアーム部材５は、図９に示すごとく延在部１１に回転軸１１ｆを備え、延在部１１の一部を回転して孔１１ｄの角度を変更するようにしても良い。
【００２３】
先端部１１ｂの孔１１ｄは、図３、図４に示すごとく基部１０を介して延在部１１を横方向へ回転する際に、竿等の棒状体２をスライドさせると共に、孔１１ｄに対する棒状体２の挿入角度を変化させる径や形状を備えている。また孔１１ｄは、楕円以外の円、四角等の多角形等の様々な形状でも良い。更に図８に示すごとく他の孔１１ｅを備える場合には、孔１１ｄと同様に、竿等の棒状体２をスライドさせると共に、孔１１ｄに対する棒状体２の挿入角度を変化させる径や形状を備えている。
【００２４】
補助支持部１２は、図１０に示すごとく基部１０の他の側面において上側に位置し且つほぼ水平に形成される上側支持体１２ａと、下側に位置し且つほぼ水平に形成される下側支持体１２ｂとを備えており、棒状体２を配置した際には下側支持体１２ｂに棒状体２を載置して支持するようにしている。ここで補助支持部１２は、図１１に示すごとく延在部１１の他の側面から突出する円弧状のホールド部１２ｃと、ホールド部１２ｃの先端から外方に広がる導入部１２ｄを備え、棒状体２を配置した際にはホールド部１２ｃに棒状体２を挟み込んでスライド可能に支持するようにしても良い。
【００２５】
固定部材４とアーム部材５には図１２、図１３に示すごとくロック機構Ｌが構成されている。ロック機構Ｌは、固定部材４とアーム部材５を接触させた際に生じる摩擦を利用するものである。具体的に説明すると、アーム部材５を回転させて所定位置に配した際には、アーム部材５を下方に引き下げて基部１０の底面を支持部７の下側突状板７ｃに接触させ、アーム部材５の自重による摩擦を介してアーム部材５を固定するようになっている。またアーム部材５を所定位置から回転させる際には、アーム部材５を上方に引き上げて基部１０の底面を支持部７の下側突状板７ｃから離間させ、アーム部材５の接触による摩擦が無い状態にし、アーム部材５を回転可能にしている。
【００２６】
ロック機構Ｌの他例としては、図１４、図１５に示すごとく固定部材４とアーム部材５の少なくとも一方に突起１３を形成したものがある。突起１３は、アーム部材５を回転させて所定位置に到達した際にアーム部材５または固定部材４の少なくとも一方に係止し、アーム部材５を固定するようになっている。ここで、図１４、図１５に示すロック機構Ｌの他例は、支持部７の台座部７ａと下側突状板７ｃが交わる部分に立方体の突起１３を形成したものである。アーム部材５を回転させて所定位置に到達した際には、アーム部材５を下方に引き下げて基部１０と突起１３を係止させ、アーム部材５を固定するようになっている。またアーム部材５を所定位置から回転させる際には、アーム部材５を上方に引き上げて基部１０と突起１３を外し、アーム部材５を回転可能にしている。ここでロック機構Ｌの他例は、固定部材４とアーム部材５の接触による摩擦を組み合わせても良いし、アーム部材５のみに突起１３を形成しても良いし、アーム部材５と固定部材４の両方に突起１３を形成しても良い。
【００２７】
ロック機構Ｌの別例としては、図１６に示すごとく固定部材４とアーム部材５の間に弾性体１４を配置するものがある。弾性体１４は、スプリング等であると共に、支持部７の上側突状板７ｂの下面と、基部１０の上面との間に配置され、アーム部材５の回転時には弾性体１４が基部１０の上面を滑るようになっている。アーム部材５を回転させて所定位置に到達した際には、弾性体１４によりアーム部材５の基部１０を押圧し、アーム部材５を固定するようになっている。またアーム部材５を所定位置から回転させる際には、アーム部材５を上方に引き上げ、弾性体１４を圧縮した状態でアーム部材５を回転可能にしている。ここで、ロック機構Ｌの別例は、弾性体１４を用いて固定するならば弾性体１４を他の位置に配置しても良いし、他の構造でも良い。またロック機構Ｌの別例は、固定部材４とアーム部材５の接触による摩擦を組み合わせても良いし、固定部材４とアーム部材５の少なくとも一方に形成された突起１３による係止を組み合わせても良い。
【００２８】
以下、実施の形態例である棒状体の支持具の使用方法を説明する。
【００２９】
支持具３を設置する際には、ベランダや室内外の壁面や、柵、ポール等の柱状体の取付対象部１に対し、支持具３を左右の両方または片側一方に取り付ける。支持具３を左右に設置する場合には、左右のアーム部材５が左右へ回転するように配置すると共に、アーム部材５の先端部１１ｂの孔１１ｄが同じ軸線上になるように配置する。ここで図１、図２の支持具３は、取付対象部１に向かって左側に位置するものであり、図３、図４の支持具３は、取付対象部１に向かって右側に位置するものである。また支持具３は、アーム部材５が左右外方へ回転させるように配置しても良いし、アーム部材５が左右内側へ回転するように配置しても良い。更に支持具３は図１７に示すごとく、ブラケット、スペーサ等の介在部材１６を介して固定部材４及びアーム部材５を斜め方向へ傾斜させるようにしても良い。また介在部材１６は、ブラケット、スペーサに限定されるものでなく、固定部材４に予め一体化された部材や突起、取付対象物１に形成された突起や構造物でも良い。なお、図１７ではアーム部材５を斜め上方向へ傾斜させるようにしている。
【００３０】
一方、支持具３を片側一方に設置する場合には、図１８に示すごとく片側他方に固定タイプの支持具３'を取り付ける。固定タイプの支持具３'は、アーム部材５'が回転することなく、固定部本体６に固定状態で立設し、竿等の棒状体２を左右方向から挿入し得る空間１５を備えるものである。また固定タイプの支持具３'は、図１８に示すものに限定されるものでなく、固定部本体６から中間部材（図示せず）を介してアーム部材５を固定するものでも良い。
【００３１】
支持具３を使用する際には、初めに、左右の支持具３におけるアーム部材５の先端部１１ｂの孔１１ｄに、竿等の棒状体２を挿入し、竿等の棒状体２を横方向に支持する。
【００３２】
次に洗濯物等を干すことができるように竿等の棒状体２を展開する際には、図３から図４への変化のごとく、左右の支持具３におけるアーム部材５の延在部１１が取付対象部１から突き出す位置になるようアーム部材５を横方向へ回転させ、竿等の棒状体２を取付対象部１から離間させ、洗濯物等を干すことができる状態にする。この時、先端部１１ｂの孔１１ｄでは、竿等の棒状体２をスライドさせ、アーム部材５の横方向への回転により竿等の棒状体２の支持位置を変更している。一方、支持具３を片側一方に設置した場合には、固定タイプの支持具３'を片側他方に併用する。そして片側一方の支持具３におけるアーム部材の延在部１１が取付対象部１から突き出す位置になるようアーム部材５を横方向へ回転させ、竿等の棒状体２を取付対象部１から離間させ、洗濯物等を干すことができる状態にする。また、この時、片側一方の先端部１１ｂの孔１１ｄ、片側他方のアーム部材５'の空間１５では、竿等の棒状体２をスライドさせ、アーム部材５の横方向への回転により竿等の棒状体２の支持位置を変更している。
【００３３】
竿等の棒状体２を収納する際には、図４から図３への変化のごとく、左右の支持具３におけるアーム部材５の延在部１１が取付対象部１に沿う位置になるようアーム部材５を逆の横方向へ回転させ、竿等の棒状体２を取付対象部１に近接させ、竿等の棒状体２を収納する。この時、先端部１１ｂの孔１１ｄでは、竿等の棒状体２を逆方向にスライドさせ、アーム部材５の逆方向への回転により棒状体２の支持位置を変更している。一方、支持具３を片側一方に設置した場合には、固定タイプの支持具３'を片側他方に併用する。そして片側一方の支持具３におけるアーム部材５の延在部１１が取付対象部１に沿う位置になるようアーム部材５を逆の横方向へ回転させ、竿等の棒状体２を取付対象部１に近接させ、竿等の棒状体２を収納する。この時、片側一方の先端部１１ｂの孔１１ｄ、片側他方のアーム部材５'の空間１５では、竿等の棒状体２を逆方向にスライドさせ、アーム部材５の逆方向への回転により棒状体２の支持位置を変更している。
【００３４】
而して、このような実施の形態例によれば、アーム部材５の先端部１１ｂの孔１１ｄを介して竿等の棒状体２を支持すると共にアーム部材５を横方向に回転可能にすることができる。またアーム部材５を横方向に回転させるので、アーム部材５を上方へ持ち上げる動作を不要にし、背の低い人やお年寄りへの負担を低減することができる。更にアーム部材５を横方向に回転させて竿等の棒状体２を展開または収納するので、上方向の空間にアーム部材５及び竿等の棒状体２を配置するスペースを不要にすることができる。更にまたアーム部材５を横方向に回転させるため、アーム部材５を鉛直方向上向きの位置で保持する状態を不要にし、ロック機構Ｌを簡易化することができる。またアーム部材５を横方向に回転させるので、固定タイプの支持具３'を併用することが可能となり、支持具３の種類や配置条件の自由度を高めることができる。ここで固定タイプの支持具３'は、アーム部材５の横位置に壁や障害物があり、アーム部材５を横方向へ十分に回転させることができない場合に有用である。
【００３５】
また実施の形態例において、アーム部材５は、延在部１１に、棒状体２を通す孔１１ｄ、１１ｅを複数備えると、棒状体２の配置条件について自由度を高めることができる。
【００３６】
また実施の形態例において、アーム部材５は、延在部１１の一部を回転して孔１１ｄの角度を変更するよう延在部１１に回転軸ｆを備えると、孔１１ｄの角度を適切にするので、竿等の棒状体２を好適に支持すると共にアーム部材５を横方向に回転可能にすることができる。
【００３７】
また実施の形態例において、アーム部材５は、棒状体２を載置又は挟み込んで支持する補助支持部１２を備えるので、アーム部材５の延在部１１が取付対象部１に沿う位置になるようアーム部材５を回転させた際には、竿等の棒状体２を安定した状態で保持することができる。また補助支持部１２により竿等の棒状体２の中途位置を支持するので、風や振動による棒状体２の変形やたわみを防止することができる。
【００３８】
また実施の形態例において、固定部材４とアーム部材５を接触させた際に生じる摩擦、固定部材４またはアーム部材５に形成された突起１３による係止、固定部材４とアーム部材５の間に配置された弾性体１４による押圧、の少なくとも１つでアーム部材５を固定するロック機構Ｌを備える。これによりアーム部材５を容易に固定することが可能となると共に、ロック機構Ｌを簡易化することができる。
【００３９】
また実施の形態例において、固定部材４と取付対象部１の間に、固定部材４及びアーム部材５を斜め方向へ傾けて配置する介在部材１６を備えると、竿等の棒状体２を高さを調整することができる。またアーム部材５を斜め上方向へ傾けて配置した場合には、棒状体２を高い位置で支持し、洗濯物を干す際に洗濯物が床に接触することを防止できる。
【００４０】
また実施の形態例において、アーム部材５が取付対象部１から突き出す位置になるようアーム部材５を横方向へ回転させた際には、アーム部材５の孔１１ｄを介して棒状体２を支持すると共に前記棒状体２を取付対象部１から離間させ、アーム部材５を取付対象部１に沿う位置になるようアーム部材５を横方向へ回転させた際には、アーム部材５の孔１１ｄを介して棒状体２を支持すると共に棒状体２を取付対象部１に近接させるように構成される。これにより竿等の棒状体２を好適に支持すると共にアーム部材５を横方向に安定して回転可能にすることができる。
【００４１】
尚、本発明の棒状体の支持具は、上述の図示例にのみ限定されるものではなく、棒状体をスライドさせつつ支持するものならば他の構成でも良いこと、その他、本発明の要旨を逸脱しない範囲内において種々変更を加え得ることは勿論である。
【符号の説明】
【００４２】
１    取付対象部
２    棒状体
３    支持具
４    固定部材
５    アーム部材
６    固定部本体
７    支持部
１０    基部
１１    延在部
１１ｄ    孔
１１ｆ    回転軸
１２    補助支持部
１３    突起
１４    弾性体
１６    介在部材
Ｌ    ロック機構
【図１】
2018051158.tif 000003
【図２】
2018051158.tif 000004
【図３】
2018051158.tif 000005
【図４】
2018051158.tif 000006
【図５】
2018051158.tif 000007
【図６】
2018051158.tif 000008
【図７】
2018051158.tif 000009
【図８】
2018051158.tif 000010
【図９】
2018051158.tif 000011
【図１０】
2018051158.tif 000012
【図１１】
2018051158.tif 000013
【図１２】
2018051158.tif 000014
【図１３】
2018051158.tif 000015
【図１４】
2018051158.tif 000016
【図１５】
2018051158.tif 000017
【図１６】
2018051158.tif 000018
【図１７】
2018051158.tif 000019
【図１８】
2018051158.tif 000020